(57)【要約】【課題】  電力消費者の立場の電力融通などの電力を管理する。【解決手段】  監視部、表示モード設定部および表示部を有する電力管理システムである。監視部は、管理対象の街区の電力供給設備の状態情報および消費電力に基づいた物理的電力系統を電力系統テーブルに格納する。表示モード設定部は、電力系統テーブルに格納されている物理的電力系統を、街区間で融通する電力を提供電力及び受入電力として、各街区に対応した論理的電力系統に変換し、表示モードテーブルの格納情報に応じて表示モードを設定する。表示部は、表示モードに応じた画面テンプレートを選択し、選択した画面テンプレートに所定の情報を格納し、選択した前記画面テンプレートに論理的電力系統に対応する電力系統図を含む場合は、提供電力及び受入電力を示す仮想的な電力融通装置を電力系統図に表示するように所定の情報として格納し、所定の情報を格納した画面テンプレートを表示装置に表示する。【選択図】  図１
2014128166.tif 000002
【特許請求の範囲】
【請求項１】
管理対象の複数街区に関連する、通信装置を介して電力供給設備の状態情報および消費電力を入力し、入力した前記状態情報および前記消費電力に基づいた物理的電力系統を電力系統テーブルに格納し、入力した前記状態情報に保守や計画停電の予定情報が含まれているならば、前記予定情報を表示モードテーブルに格納する監視部、
前記電力系統テーブルに格納されている前記物理的電力系統を、前記複数街区の街区間で融通する電力を提供電力及び受入電力として、前記複数街区の各街区に対応した論理的電力系統に変換し、前記表示モードテーブルに格納されている前記予定情報に応じて表示モードを設定する表示モード設定部、並びに、
前記表示モード設定部により設定された前記表示モードに応じた画面テンプレートを選択し、選択した前記画面テンプレートに所定の情報を格納し、選択した前記画面テンプレートに前記論理的電力系統に対応する電力系統図を含む場合は、前記提供電力及び受入電力を示す仮想的な電力融通装置を前記電力系統図に表示するように前記所定の情報として格納し、前記所定の情報を格納した前記画面テンプレートを表示装置に表示する表示部を有することを特徴とする電力管理システム。
【請求項２】
前記監視部は、予測不可の事象の発生の前記通信装置からの通知に応答して、前記予測不可の事象の発生の通知を前記表示モードテーブルに格納し、前記表示モード設定部を起動し、
前記表示モード設定部は、前記表示モードテーブルに格納された前記予測不可の事象の発生の通知の検知に応答して、前記表示部を起動し、
前記表示部は、前記表示装置に表示している、前記所定の情報を格納した前記画面テンプレートに前記予測不可の事象の発生の通知を重ね合わせて表示することを特徴とする請求項１記載の電力管理システム。
【請求項３】
前記表示部は、各街区内の電力供給設備毎に統合して前記論理的電力系統に対応する電力系統図を前記表示装置に表示することを特徴とする請求項１記載の電力管理システム。
【請求項４】
管理対象の複数街区の電力を管理する管理サーバは、
通信装置を介して電力供給設備の状態情報および消費電力を入力し、入力した電力供給設備の前記状態情報および前記消費電力に基づいた物理的電力系統を電力系統テーブルに格納し、入力した電力供給設備の前記状態情報に保守や計画停電の予定情報が含まれていれば、前記予定情報を表示モードテーブルに格納し、前記電力系統テーブルに格納されている前記物理的電力系統を、前記複数街区の街区間で融通する電力を提供電力及び受入電力として、前記複数街区の各街区に対応した論理的電力系統に変換し、前記表示モードテーブルに格納されている前記予定情報に応じて表示モードを設定し、設定された前記表示モードに応じた画面テンプレートを選択し、選択した前記画面テンプレートに所定の情報を格納し、選択した前記画面テンプレートに前記論理的電力系統に対応する電力系統図を含む場合は、前記提供電力及び受入電力を示す仮想的な電力融通装置を前記電力系統図に表示するように前記所定の情報として格納し、前記所定の情報を格納した前記画面テンプレートを表示装置に表示することを特徴とする電力管理方法。
【請求項５】
前記管理サーバは、予測不可の事象の発生の前記通信装置からの通知に応答して、前記予測不可の事象の発生の通知を前記表示モードテーブルに格納し、前記表示装置に表示している、前記所定の情報を格納した前記画面テンプレートに前記予測不可の事象の発生の通知を重ね合わせて表示することを特徴とする請求項４記載の電力管理方法。
【請求項６】
前記管理サーバは、各街区内の電力供給設備毎に統合して前記論理的電力系統に対応する電力系統図を前記表示装置に表示することを特徴とする請求項４記載の電力管理方法。
【発明の詳細な説明】
【技術分野】
【０００１】
本発明は、電力の供給および消費を管理する電力管理システム及びその方法に係り、特に電力消費者の立場の電力管理システム及びその方法に関する。
【背景技術】
【０００２】
地球温暖化、エネルギー資源の有効利用の観点から、省エネルギー化が進められると共に、太陽光発電や風力発電などの分散電源の開発やそれらの高出力化、高効率化が進められている。また、停電などに備えるための蓄電池も大容量化が進められている。
【０００３】
このような状況の下、商用電源に分散電源を加えた送配電は、電力事業者（または送配電事業者）の送配電網に委ねられている。太陽光発電量や消費電力量を監視して、事故発生時や作業実施時の電力を融通する監視制御システムが特許文献１に記載されている。
【０００４】
一方、電力消費者としての一般ユーザの自然エネルギー利用や省エネルギーの機運も高まり、太陽光発電設備も普及してきている。しかしながら、電力供給は電力事業者に委ねられているので、一般家庭における太陽光発電量と消費電力量とのディスプレイへのグラフ表示や数値表示にとどまっている。
【先行技術文献】
【特許文献】
【０００５】
【特許文献１】特開２０１１−６１９３１号公報
【発明の概要】
【発明が解決しようとする課題】
【０００６】
特許文献１は、事故発生時や作業実施時などの電力融通を主としているので、分散電源を含む電力を供給する送配電線による電力系統を対象にしている。
【０００７】
自然エネルギー利用や省エネルギーの機運も高まりは、各ビルや各ユーザによる個別の管理よりも、電力融通などにおいて全体としての効率化が望めるので、一般ユーザの集合（たとえば、町内会、自治会、開発区域など）による電力管理が展開されても良い状況にある。このようなユーザの集合の地域（以下、街区と呼ぶ。）の観点から電力管理する提案は未だ見当たらない。
【０００８】
そこで、自然エネルギー利用や省エネルギーの機運も高まりに応える、街区という地域を単位とした電力管理システムの開発が望まれる。
【課題を解決するための手段】
【０００９】
開示する電力管理システムは管理サーバによって構成され、監視部、表示モード設定部および表示部を有する。監視部は、管理対象の複数街区に関連する、通信装置を介して電力供給設備の状態情報および消費電力を入力し、入力した電力供給設備の状態情報および消費電力に基づいた物理的電力系統を電力系統テーブルに格納し、入力した電力供給設備の状態情報に保守や計画停電の予定情報が含まれていれば、予定情報を表示モードテーブルに格納する。表示モード設定部は、電力系統テーブルに格納されている物理的電力系統を、街区間で融通する電力を提供電力及び受入電力として、各街区に対応した論理的電力系統に変換し、表示モードテーブルに格納されている予定情報に応じて表示モードを設定する。表示部は、表示モードに応じた画面テンプレートを選択し、選択した画面テンプレートに所定の情報を格納し、その画面テンプレートに論理的電力系統に対応する電力系統図を含む場合は、提供電力及び受入電力を示す仮想的な電力融通装置を電力系統図に表示するように所定の情報として格納し、所定の情報を格納した画面テンプレートを表示装置に表示する。
【発明の効果】
【００１０】
本発明によれば、街区単位に電力管理することにより、電力消費者の立場の電力融通などの電力を管理できる。
【図面の簡単な説明】
【００１１】
【図１】電力管理する管理サーバの構成である。
【図２】電力系統図の例である。
【図３】電力系統テーブルの一例である。
【図４】商用電源が停電の場合の電力系統図の例である。
【図５】商用電源が停電の場合の電力系統テーブルの一例である。
【図６】設備状態テーブルの一例である。
【図７】消費実績テーブルの一例である。
【図８】消費予測テーブルの一例である。
【図９】表示モードテーブル一例である。
【図１０】監視部の処理フローチャートである。
【図１１】表示モード設定部の処理フローチャートである。
【図１２】表示部の処理フローチャートである。
【図１３】論理的電力系統図の表示画面例である。
【図１４】表示画面のレイアウト例である。
【図１５】表示画面の他のレイアウト例である。
【図１６】割込み要因の表示例である。
【発明を実施するための形態】
【００１２】
図１は、街区と呼ぶ地域（町内会、自治会、土地開発区域など）を対象として電力管理する管理サーバ40の構成である。管理サーバ40は通信装置41〜44を接続している。通信装置41は、街区への電力供給に係る電力系統、その保守などの運用、供給電力量などのデータを電力会社などの事業者から受信し、管理サーバ40へ受信データを入力する。通信装置42は、街区内の、街区単位で管理される太陽光発電設備などの設備の状態データを受信し、管理サーバ40へ受信データを入力する。通信装置43は、天候や街区内のイベントなどの電力を集中的に消費する要因になり得るデータをそれらの提供者から受信し、管理サーバ40へ受信データを入力する。通信装置44は、街区内のビルや一般ユーザの通信機能を持つ次世代電力量計であるスマートメータやパソコンに接続し、ビルや一般ユーザから消費電力量などを受信し、管理サーバ40へ受信データを入力すると共に、管理サーバ40が出力する電力供給と消費の現況および予測、街区内の電力供給に係る設備の故障等の状態、保守等の予告などのデータをビルや一般ユーザに送信する。管理サーバ40は、さらに、管理者やオペレータ用の入力装置45および表示装置46を接続している。
【００１３】
管理サーバ40は、監視部50、消費予測部51、表示モード設定部52、表示部53、情報提供部54などの処理部を有する。また、管理サーバ40は、設備状態テーブル60、電力系統テーブル61、消費実績テーブル62、消費要因テーブル63、消費予測テーブル64、表示モードデーブル65、表示情報テーブル66などのテーブル類を有する。なお、説明を簡単にするために、いくつかの処理部、テーブルの図示を省略しているが、以下の説明で必要に応じて補足する。たとえば、街区の地理及び設備位置などを示す地図情報を管理サーバ40が有しているが、図面を用いずに必要に応じた説明にとどめる。
【００１４】
図２は、電力系統図の例である。商用電力（商用電源）を提供する事業者（電力事業者又は送配電事業者）の変電設備27から、A街区10とB街区20に電力が供給される電力系統図である。電力系統は、開閉器（SW）のON/OFFによって変更できるように構成されているので、一意に定義することはできない。ここでは、便宜的に、変電設備27以下の電力系統をL1、L2、L3とする。電力系統L1は、SW1、SW2のONにより構成され、変電設備27からの商用電源、蓄電池11、12、太陽光発電（設備）14、15、風力発電（設備）16が接続している。電力系統L2は、SW3、SW4のONにより構成され、変電設備27からの商用電源、太陽光発電13、25、26が接続している。電力系統L3は、SW5、SW6のONにより構成され、変電設備27からの商用電源、蓄電池21、22、太陽光発電（設備）23、24が接続している。以上説明した電力系統は、事業者の送電網に依存しているので、物理的電力系統と呼ぶ。
【００１５】
図２に示す電力系統図を街区の観点から見ると、電力系統L1の蓄電池12、太陽光発電15、および、太陽光発電25、26が設置されている区域29はB街区20に含まれ、設置されている設備はB街区20によって管理されている。このように、A街区10、B街区20のような街区によって管理されている設備を統合した電力系統を論理的に構成することができる。このような電力系統を論理的電力系統と呼ぶ。
【００１６】
図３に、図２に示す電力系統図に対応する電力系統テーブル61の一例を示す。電力系統テーブル61は、物理的電力系統610と論理的電力系統613とを対応させたテーブルである。物理的電力系統610に関しては、物理的電力系統610に接続する各設備、各設備の状態（ON/OFF）611、各設備の供給電力または消費電力612の各欄を有する。論理的電力系統613に関しては、論理的電力系統613に接続する各設備をその種別ごとに統合して、それらの供給電力または消費電力614の各欄を有する。統合は、以下の説明を簡略化するためであって、個々の設備を示してもよい。
【００１７】
図３に示す電力系統テーブル61は、商用電源を提供する変電設備27から電力系統が正常な通常時であり、物理的電力系統610の供給電力または消費電力612の総計は16350ｋｗであり、論理的電力系統613の供給電力または消費電力614の総計は18650ｋｗである。この差2300ｋｗは、B街区20から提供され、A街区10が受け入れている電力である。この提供/受入電力は、B街区20に設置、管理されている蓄電池12の出力電力と太陽光発電15の発電電力の和に相当である。A街区10は、商用電源から正常に電力供給されているので、消費電力量が多くなれば、商用電源から供給電力量が多くなるが、蓄電池12の出力電力と太陽光発電15の発電電力の和に相当する電力を、商用電源からの供給を受けずに、B街区の設備から供給されていることになる。
【００１８】
図４は、図２の電力系統において、商用電力（商用電源）を提供する事業者の変電設備27から、A街区10とB街区20に電力が供給されない状況（商用電源の停電）の電力系統図の例である。電力系統L1は、SW1、SW2のONにより構成され、蓄電池11、12、太陽光発電（設備）14、15、風力発電（設備）16が接続している。電力系統L2は、SW4、SW7のONにより構成され、太陽光発電13、25、26が接続している。電力系統L3は、SW6、SW9のONにより構成され、蓄電池21、22、太陽光発電（設備）23、24が接続している。
【００１９】
図５に、図４に示す電力系統図に対応する電力系統テーブル61を示す。図５に示す電力系統テーブル61は、物理的電力系統610の供給電力の総計は14300ｋｗ、消費電力の総計は13300ｋｗであり、その差である供給電力の余裕は1000ｋｗである。一方、論理的電力系統613の供給電力の総計は16100ｋｗ、消費電力の総計は15100ｋｗであり、その差である供給電力の余裕は、物理的電力系統610と同様に、1000ｋｗである。物理的電力系統610の供給電力の総計14300ｋｗと論理的電力系統613の供給電力の総計16100ｋの差は1800ｋｗであり、物理的電力系統610の消費電力の総計13300ｋｗと論理的電力系統613の消費電力の総計15100ｋの差も1800ｋｗである。この差1800ｋｗは、B街区20から提供され、A街区10が受け入れている電力である。この提供/受入電力は、A街区10に生じる不足電力であり、A街区10に設置、管理されている蓄電池1１などではA街区10に不足を生じることを示している。B街区20は、提供電力として1800ｋｗをA街区10に提供しても、供給電力に1000ｋｗの余裕がある。
【００２０】
図６に設備状態テーブル60の一例を示す。設備状態テーブル60は、管理対象としている街区（ここでは、A街区10及びB街区20）の電力系統に関わる設備600、その設備600の状態601、供給可能電力602、その設備600に係る給電停止、開始などの予定603、予定603の実施による影響が発生する対象地域604の各欄を有する。設備状態テーブル60の各データは、電力会社や送配電に関わる事業者から通信装置41を介して入力されるデータと、街区内に設置し、管理している各設備から通信装置42を介して入力されるデータである。設備状態テーブル60は、電力系統テーブル61のデータを補完するために用いられる。
【００２１】
図６の設備状態テーブル60に示しているように、設備600には、商用電源のほかに蓄電池や太陽光発電設備などが含まれる。また、図示を省略しているが、設備600には開閉器（SW）も含み、その状態（ON/OFF）を示す。開閉器（SW）は、図２の電力系統図と図４の電力系統図の系統L1、L2、L3を構成するために、電力会社や送配電に関わる事業者によってON/OFFされるが、故障や保守のために停電する地域を局所化するためにも、ON/OFFされる。
【００２２】
図７に消費実績テーブル62の一例を示す。消費実績テーブル62は、日時620、曜日621、天候622、気温623、湿度624、A街区10の電力消費量625、およびB街区20の電力消費量626の各欄を有する。日時620は、図７では１０分間隔で示しているが、消費電力消費量を予測するために用いるので、予測精度に必要な所定時間間隔であればよい。また、一般に消費電力消費量の変化が大きい朝晩は１分間隔、その他の時間帯は１０分間隔にしても良い。さらに、高温多湿の夏季においては、11：00〜16：00の時間帯は１分間隔、その他の時間帯は１０分間隔のように、消費電力消費量の予測精度に影響する、過去の実績に基づく状況に応じて時間間隔を可変にすることが望ましい。A街区10の電力消費量625、およびB街区20の電力消費量626は、図７の消費実績テーブル６２は、各街区の電力消費量の総計を示しているが、各街区のビルや一般ユーザ毎の電力消費量を用いても良い。ビルや一般ユーザ毎の電力消費量は、スマートメータなどと呼ばれる消費電力をデジタルで計測し、メータ内に通信機能を持たせた電力量計を、街区内の設備の一環として、通信装置42に接続し消費電力量を入力する。
【００２３】
図８に、消費予測テーブル64の一例を示す。消費予測テーブル64は、日時640、曜日641、天候642、気温643、湿度644、A街区10の電力消費量645、およびB街区20の電力消費量646の各欄を、消費実績テーブル62と同様に有する。日時640の時間間隔は、消費実績テーブル62と同様に、消費電力消費量の変化が大きい時間帯で短く、その他の時間帯では長くする。
【００２４】
図９に、表示モードテーブル65の一例を示す。表示モードテーブル65は、管理パターン650、表示モード651、予定時間652の各欄を有する。管理パターン650は、電力系統が正常な通常、ダウン（停電）範囲が管理対象の一部地域（一部ダウン）か全地域（全体ダウン）かとダウンに至ることの予測の可または不可に応じて４パターンに分類する。表示モード651は、管理パターン650のそれぞれに応じた「通常」、「保守」、「故障」、「計画停電」、「災害」である。予測不可の故障は、前述したように、開閉器ON/OFFにより、故障個所の局所化により「保守」に帰着させることができる。「計画停電」は、時間帯が前もって告知された上で（予測可）、商用電源を対象街区で使用できない状況である。「災害」は、予測できない大規模災害の発生などで商用電源を対象街区で使用できない状況であり、開閉器ON/OFFにより電力系統を切り替え、ビルや一般ユーザに電力消費量を少なくするように呼びかけることにより、「計画停電」と同様の扱いに帰着させることができる。予定時間652は、予測可の表示モード「保守」及び「計画停電」の予定時間帯、および「保守」の場合の対象地域（図９では、B街区◎◎番）を示す。また「故障」の場合、故障の影響地域を特定できた段階、または開閉器ON/OFFにより故障個所を局所化できた段階で、特定又は局所化できた地域を示す。図９では、現在時刻において故障は発生していないが、例示として括弧付きで地域B街区××番を示している。
【００２５】
以上説明したテーブル類以外に、図１に、消費要因テーブル63、表示情報テーブル66を示している。消費要因テーブルには、電力消費量の変動要因になる天気情報や街区内のイベント情報が格納される。これらの情報は、消費要因提供者から通信装置４３を介して入力される。表示情報テーブル66は、管理者/オペレータ向けに表示装置46に表示する表示情報及び街区内のビル管理者や一般ユーザに通信装置44を介して提供する情報であり、それらを表示した表示画面として後述する。
【００２６】
図１０に監視部50の処理フローチャートを示す。監視部50は、通信装置41〜43を介して各種情報を入力する。監視部50は、タイマによる周期起動と通信装置41〜43からの割込みにより動作を開始する。タイマによる起動周期は、図７の消費実績テーブル62の説明した所定時間間隔である。一方、通信装置41〜43は、受信メッセージに含まれる予め定めた緊急を示すデータ（ビット列）などから、その受信メッセージが故障発生、災害による停電発生などの、図９で説明した予測不可の事象の発生を通知するものとして、管理サーバ40に割込み信号を出力する。割込み信号に応答して、管理サーバ40は監視部50を起動する。
【００２７】
監視部50は起動された要因として割込みの有無を判定する（S500）。割込みが無ければ、監視部50は物理的電力系統の変更および変更予定を物理的電力系統の設備の状態情報として通信装置41から入力し、設備状態テーブル60及び電力系統テーブル61に格納し、設備の状態情報に保守や計画停電の予定情報が含まれていれば、それらを表示モードテーブル65に格納する（S501）。物理的電力系統の開閉器などの各設備状態は同時に多くが変更されることが無いので、変更または変更予定の通知に対応して状態情報および状態の変更予定が事業者から送信される。これにより、通信装置41による通信量を少なくし、設備状態テーブル60及び電力系統テーブル61への格納は、入力した状態情報に更新すればよく、処理時間を短縮できる。
【００２８】
図３の電力系統テーブル61では、電力系統L1、L2、L3の各々について商用電源として供給される供給電力を示している。各開閉器に付随して電力計が設置されている場合は、電力系統L1、L2、L3の各々の供給電力を計測することが可能であるが、一般には変電設備27の２次側（負荷側）の供給電力として計測される。この場合は、街区内の設備の状態情報および消費電力から電力系統L1、L2、L3の各々の供給電力を求める。たとえば、電力系統L1の商用電源からの供給電力は、電力系統L1の消費電力と、電力系統L1に電力を供給する商用電源以外の設備からの供給電力との差として求める。
【００２９】
監視部50は、街区内設備から通信装置42を介して、街区内設備のうち電力供給設備の状態情報を入力し、設備状態テーブル60及び電力系統テーブル61に格納する（S502）。設備の状態情報に保守などの予定情報が含まれていれば、それらを表示モードテーブル65に格納する街区内設備のうちの電力供給設備は、設備状態テーブル60及び電力系統テーブル61に示す蓄電池、太陽光発電設備などである。街区内設備の状態情報も、物理的電力系統の変更情報と同様に変更された情報、変更予定の情報などに限定しても良い。
【００３０】
監視部50は、街区内設備のうちの各電力計から通信装置42を介して、街区内の消費電力を入力し、消費実績テーブル62に格納する（S503）。電力計は、前述のスマートメータである。消費実績テーブル62への格納は、前述したように、電力計毎に格納しても良いし、集計値を格納しても良い。
【００３１】
なお、街区内設備の消費電力を含めた状態情報は、物理的電力系統を管理する事業者にとっても必要な情報であり、他の通信回線などにより事業者が街区内設備の状態情報を収集、監視している。このような場合は、物理的電力系統の情報としてS501で一括して入力しても良い。
【００３２】
監視部50は、消費要因提供者から通信装置43を介して、天候情報等の電力消費要因及び要因変化を入力し、消費要因テーブルに格納する（S504）。
【００３３】
監視部50は、表示モード設定部52を起動して（S505)、終了する。
【００３４】
監視部50は、S500で割込みが有れば、割込み信号を発生させた通信装置41〜43のいずれかから割込みに伴う予測不可の事象の発生を通知するメッセージを入力し、予測不可の事象及びその影響範囲などを表示モードテーブル65に格納し（S506)、S505に移り、直ちに表示モード設定部52を起動する。表示モードテーブル65には、図９に例示したように、故障などの影響範囲（地区）などを格納する。
【００３５】
図１に示す消費予測部51の処理は知られているので、図示および詳細説明を省略するが、消費実績テーブル62及び消費要因テーブル63を参照して、電力消費量を予測し、予測結果を消費予測テーブル64に格納する。消費予測部51は、消費要因テーブル63に格納されている天候や街区内のイベントなどの電力を集中的に消費する要因に類似した状況を消費実績テーブル62から検索し、その時の消費電力量を予測値とするなどの方法を用いる。
【００３６】
図１１に表示モード設定部52の処理フローチャートを示す。表示モード設定部52、表示モードテーブル65を参照して、監視部50からの起動が、通信装置41〜43のいずれかからの割込みに起因する起動か否かを判定する（S520)。前述のように予測不可の事象の発生（故障発生、災害による停電の発生に関わる影響範囲など）の情報が、表示モードテーブル65に格納されているか否かの検知により割込み判定する。
【００３７】
割込みに起因する起動でなければ、表示モード設定部52は、電力系統を物理空間(物理的電力系統)から論理空間(論理的電力系統）への変換する(S521)。図３に示す電力系統テーブル60の物理的電力系統610に接続する各設備、各設備の状態（ON/OFF）611、各設備の供給電力または消費電力612から、管理対象の街区の地図情報等を参照して、論理的電力系統613に接続する各設備を設備の種別ごとに統合して、それらの供給電力または消費電力614に変換する。物理的電力系統610と論理的電力系統613との対応関係は、図３及び図５で説明したとおりである。
【００３８】
表示モード設定部52は、表示モードテーブル65の予定時間652を参照して、表示モードを判定する(S522)。管理パターン650の予測不可に対応する表示モード651が「故障」又は「災害」の予定時間652欄に、故障や災害に伴う電力供給の影響範囲などが格納されているかを確認する。電力供給の影響範囲などが格納されている場合は、格納位置に応じて、災害モード表示（S523）または故障モード表示（S524)を表示モードとして設定する。表示モードの設定は、後述する表示部53が用いられれば良いので、特定の記憶領域に格納しても良いし、表示部53を起動する際の引数として設定しても良い。予測不可に対応する表示モード651の予定時間652欄が空欄の場合、予測可に対応する表示モード651が「計画停電」又は「保守」の予定時間652欄に予定時間等が格納されているかを判定し、格納されているならば予定時間帯に現在時刻が入っているかを判定し、入っているならば、対応する計画停電モード表示（S525）又は保守モード表示（S526）を表示モードとして設定する。以上の表示モード以外の時に、電力系統は正常であるので、通常表示モード（S527)を表示モードとして設定する。
【００３９】
なお、予測可に対応する表示モード651である「計画停電」又は「保守」の予定時間652欄の予定時間帯に現在時刻が入っているかを判定するように説明したが、予定の開始時間の１時間前などの所定時間前から表示モードを切り替えることにより、表示による警告や注意効果が高まる。
【００４０】
表示モード設定部52は、表示モードを設定したならば、表示部を起動して（S528)、終了する。
【００４１】
S520の判定の結果、割込みに伴う起動である場合、割込み要因による表示であることを表示モードとして設定し（S529)、S528に移り、直ちに表示部52を起動する。
【００４２】
図１２に表示部53の処理フローチャートを示す。表示部53は、表示モードテーブル65を参照して、監視部50からの起動が、通信装置41〜43のいずれかからの割込みに起因する起動か否かを判定する（S530)。判定方法は、表示モード設定部52のS520と同様である。割込みに起因する起動でなければ、表示部53は、設定された表示モードに対応する画面を表示する。
【００４３】
表示部53の以降の処理の説明の前に、表示画面例を図１３〜図１５を用いて説明する。図１３に論理的電力系統図の表示画面例70である。表示画面例70は、図３又は図５に示したような電力系統テーブル61の論理的電力系統613、及び供給電力または消費電力614の各欄を参照して、街区毎及び街区間の電力供給、消費の状況を表示する。地図情報を参照してA街区、B街区などの街区情報に基づいて、街区の地図（画面が煩雑にならないようにした、街区の外形などの簡略地図）に重ね合わせて論理的電力系統図を表示してもよい。また、図示を省略するが、商用電源、太陽光発電なのどの供給電力量、また街区毎の消費電力量を数値表示することにより、電力の供給状況、消費状況を、管理者/オペレータ、さらにビル管理者や一般ユーザに定量的に理解される。
【００４４】
図１３に示す論理的電力系統図には、２種類の仮想なシンボル（アイコン）を導入する。一つは、街区間で電力を融通するための電力融通装置71であり、他の一つは各街区への電力供給設備（商用電源や太陽光発電設備など）と電力消費設備（ビルや一般ユーザ）とを接続するためのノード（A街区ノード72、B街区ノード73）である。
【００４５】
図３を用いて説明したように、通常時、A街区10はB街区20から2300ｋｗの電力の融通を受けている。この電力融通の状況を論理的電力系統図に表すために、A街区ノード72とB街区ノード73との間に電力融通装置71を配置し、ノード間の電力の融通方向（提供側から受け入れ側の方向）を矢印表示し、図示を省略しているが融通電力量を表示する。ノードは、電力の供給と消費を結ぶ結節点として表示することにより、電力供給設備と電力消費設備の論理的な接続関係を明確にできる。なお、蓄電池に対する双方向矢印は、蓄電池の電力を供給電力として使用する場合と、蓄電池の充電電力として電力消費する場合があるからである。図３の説明で同種の設備ごとに電力量を統合することを説明したが、表示装置の画面サイズや設備の台数に応じて個々の設備を示してもよいし、同種の設備を複数のグループにグループ化して表示しても良い。
【００４６】
図１４に、表示装置46の表示画面のレイアウト例を示す。このレイアウト例は、図１３の論理的電力系統図70を表示画面の大半に配置し、その右側に、現在の表示モード460、注意情報461および予定情報462を表示する領域を配置する。注意情報461の領域には、節電の要請や余裕の供給電力量を表示する。予定情報462の領域には、計画停電や保守の予定情報を表示する。
【００４７】
図１５に、表示装置46の表示画面の他のレイアウト例462を示す。このレイアウト例463は、論理的電力系統図を簡略化した例である。各街区の供給電力等を「使う」、「貯める」及び「もらう」に分け、街区間の融通電力量を明示したものである。「使う」は消費電力、「貯める」は蓄電池の現時点の充電容量（使える容量）、「もらう」は受入れ電力量である。このように簡略にすると、外観的に理解容易であるが、供給電力量が分からないという欠点がある。しかし、一般ユーザには分かり易いので、後述する情報提供部54による一般ユーザ向け画面として望ましい画面の一つである。
【００４８】
表示部53の説明に戻る。表示部53は、表示モード設定部52が設定した表示モードを入力する（S531）。表示モードは、前述とおり、災害モード表示、故障モード表示、計画停電モード表示、保守モード表示及び通常モード表示のいずれかである。設定された表示モードに応じた画面テンプレートを選択する（S532）。表示モード毎に管理サーバ40の記憶装置（図示略）に複数の画面テンプレートを格納しておいても良いが、表示モード毎に最初に表示する画面テンプレートを定めておき、それらの中から表示モード対応に選択する。たとえば、通常モードのときは、図１４に示したレイアウトの画面テンプレートを選択する。このとき選択した画面テンプレートのモード460には、表示する「通常モード」が設定されている。表示部53は、選択した画面テンプレート上に所定の情報を設定し、表示情報テーブル66に格納する（S533）と共に、表示装置46に画面表示し（S534）、終了する。画面テンプレート上に設定する所定の情報は、設備状態テーブル６０、電力系統テーブル６１、消費実績テーブル62、消費予測テーブル64、および表示モードテーブル65から選択される。
【００４９】
入力装置45からのプルダウンメニューなどの操作により画面のレイアウトを切り替える。このとき、記憶装置に格納されている、表示モード毎の複数の画面テンプレートからメニュー操作に対応して選択する。このように選択される画面は、たとえば、消費実績テーブル62と消費予測テーブル64を参照した電力消費状況画面などである。電力消費状況画面は、画面の左から右への時系列の電力消費状況をグラフ表示するもので、現在時刻より左側に消費実績グラフを表示し、現在時刻より右側に消費予測グラフを表示し、現在時刻で消費実績グラフと消費予測グラフとを連続させた画面である。電力消費状況画面に、同じ時間スケールの電力供給状況を重ね合わせや対比表示してもよい。メニュー操作によっては、図１５に示すようなレイアウトの画面を表示する。
【００５０】
プルダウンメニューなどの操作により画面のレイアウトが頻繁に切り替えられ、同じ画面のレイアウトが選択されたときは、所定の情報が設定され、表示情報テーブル66に格納されている画面レイアウトを表示する。
【００５１】
表示部53は、S530で割込みに起因する起動であると判定したとき、割込み要因を表示する（S535）。前述したように、予測不可の故障発生、災害による停電の発生に関わる影響範囲などの情報が、割込み要因として表示モードテーブル65に格納されている。
【００５２】
図１６に、割込み要因の表示例を示す。この表示例は、表示装置46に電力系統図70と予定情報462を表示中の画面に、表示モード460を割込み要因に対応する「故障」または「災害」に変更して表示し、割込み要因の内容を注意情報461として表示したものである。予測不可の事象（故障や災害による停電）が発生した場合、このような状況を管理者やオペレータ、場合によっては管理対象の街区内のビル管理者や一般ユーザに早く通知するために、表示している画面に割込み要因の内容を注意情報461として表示すると共に、表示モード460を変更表示する。さらに、この場合の表示モード460と注意情報461の表示は、点滅や目立つ色を用いるなどの通常とは異なる態様で表示し、管理者やオペレータの注意を喚起するようにすることが望ましい。また、予測不可の事象が発生した場合、事業者は、その事象による影響範囲を局所化するために、いくつかの開閉器を操作し、電力系統を再構成する。予測不可の事象の発生に応じて、監視部50が通信装置41、42からの入力に応じて応答して設備状態テーブル60及び電力系統テーブル61を更新したとしても、数分〜数十分の間にさらに開閉器などの操作が繰り返されることがある。したがって、電力系統の再構成中の情報を表示しても、街区の電力管理の観点からは混乱を生じかねない。そこで、たとえば１０分間隔の周期タイマにより起動される監視部50の処理が、次に実行されるタイミングで表示する電力系統図を更新することが望ましい。具体例を説明する。１０分間隔で監視部50が動作する設定とし、時刻10：10に動作したとする。時刻10：13に予測不可の事象が発生したことを監視部50が割込みにより検知した場合、処理遅れが無い前提に立つと時刻10：13に表示部53が、たとえば図１６に示す画面を表示装置４６に表示する。監視部50に新たな割込みが無ければ、監視部50の次の動作タイミングは時刻10：20である。したがって、時刻10：13〜10：20の７分間は同じ画面表示が継続する。時刻10：20の監視部50に引き続く表示部53は、図１４の注意情報461の領域には、先の割込み要因の内容が変化しなければ同じ内容を継続して表示し、たとえば故障による影響範囲が局所化された場合は、局所化された影響範囲を表示する。
【００５３】
情報提供部54は、ビル管理者や一般ユーザからの通信装置44を介した要求に応じて、表示情報テーブル66に格納されている、所定の情報が設定された画面レイアウトを、通信装置44を介して送信する。表示情報テーブル66に格納されている画面レイアウトをそのまま送信しても良いが、ビル管理者や一般ユーザにとっては不要であり、混乱させる可能性のある情報を削除して送信することが望ましい。
【００５４】
本実施形態によれば、自然エネルギー利用や省エネルギーの機運も高まりに応える、街区という地域を単位として電力管理することにより、電力消費者の立場の電力融通などの電力を管理できる。
【００５５】
また本実施形態によれば、電力融通装置およびノードという仮想的なシンボル（アイコン）を導入した論理的電力系統図を用いることにより、街区単位の電力管理に好適な表示画面を提供できる。
【００５６】
さらに本実施形態によれば、電力管理の管理パターンに応じて、表示画面を切り替えることにより、電力系統の状況に応じた情報を提供することができる。
【符号の説明】
【００５７】
10：A街区、20：B街区、11、12、21、22：蓄電池、13、14、23、24、25、26：太陽光発電設備、16：風力発電設備、27：変電設備、40：管理サーバ、41〜44：通信装置、45：入力装置、46：表示装置、50：監視部、51：消費予測部、52：表示モード設定部、53：表示部、54：情報提供部、60：設備状態テーブル、61：電力系統テーブル、62：消費実績テーブル、63：消費要因テーブル、64：消費予測テーブル、65：表示モードテーブル、66：表示情報テーブル。
【図１】
2014128166.tif 000003
【図２】
2014128166.tif 000004
【図３】
2014128166.tif 000005
【図４】
2014128166.tif 000006
【図５】
2014128166.tif 000007
【図６】
2014128166.tif 000008
【図７】
2014128166.tif 000009
【図８】
2014128166.tif 000010
【図９】
2014128166.tif 000011
【図１０】
2014128166.tif 000012
【図１１】
2014128166.tif 000013
【図１２】
2014128166.tif 000014
【図１３】
2014128166.tif 000015
【図１４】
2014128166.tif 000016
【図１５】
2014128166.tif 000017
【図１６】
2014128166.tif 000018